(57)【特許請求の範囲】
【請求項１】
缶の中心軸を横断する方向に缶を切開する横方向切断タイプの缶オープナであって、
相対的に回転する、回転可能なトラクションホイールを搭載する第１の操作部材及び回転可能な切断刃を搭載する第２の操作部材の対と、
上記操作部材上に形成されたハウジングと、
上記缶オープナの一の側に設置され、上記ハウジングによって支持され、上記缶の中心軸に略横断する軸まわりに回転するために配置された操作要素と、
上記ハウジング内に設置され、上記トラクションホイールに上記操作要素を機械式に連結させるギア装置とを含み、
上記トラクションホイール及び上記切断刃は、上記トラクションホイール及び上記切断刃が開口される上記缶のリムがホイール及び切断刃の間に配置可能なような範囲の間隔を置いて設置された操作不能位置と、上記トラクションホイール及び上記切断刃が近接し開口を引き起こすため上記缶を挟み込むことが可能な操作可能位置との間で移動可能であり、上記トラクションホイール及び上記切断刃は、使用時に上記缶の中心軸に略平行である回転軸をそれぞれ有する、横方向切断タイプの缶オープナ。
【請求項２】
上記ギア装置は、２つのベベルギアを含む、請求項１記載の横方向切断タイプの缶オープナ。
【請求項３】
上記ギア装置は、上記操作要素に対して機械的な利点を提供するように配置された、請求項１記載の横方向切断タイプの缶オープナ。
【請求項４】
上記操作要素は、蝶型ノブの形態である、請求項１記載の横方向切断タイプの缶オープナ。
【請求項５】
上記操作要素の回転軸は、上記トラクションホイールの回転平面に対して上方に、０度乃至４５度の範囲の角度で傾斜させられた、請求項１記載の横方向切断タイプの缶オープナ。
【請求項６】
上記缶オープナは、第３のタイプに属する、請求項１記載の横方向切断タイプの缶オープナ。
【請求項７】
缶の中心軸を横断する方向に缶を開口する横方向切断タイプの缶オープナであって、
使用時に略垂直な軸まわりに相対的に回転する、回転可能なトラクションホイールを搭載する第１の操作部材及び回転可能な切断刃を搭載する第２の操作部材の対と、
上記操作部材上に形成されたハウジングと、
上記缶オープナが使用時に缶上に位置するとき、上記缶オープナの一の側に設置され、上記ハウジングによって支持され、上記缶の中心軸に略横断する軸まわりに回転するために配置された操作要素と、
上記ハウジング内に設置され、上記トラクションホイールに上記操作要素を機械式に連結させるギア装置とを含み、
上記トラクションホイール及び上記切断刃は、上記トラクションホイール及び上記切断刃が開口される上記缶のリムがホイール及び切断刃の間に配置可能なような範囲の間隔を置いて設置された操作不能位置と、上記トラクションホイール及び上記切断刃が近接し開口を引き起こすため上記缶を挟み込むことが可能な操作可能位置との間で移動可能である、横方向切断タイプの缶オープナ。
【請求項８】
上記ギア装置は、２つのベベルギアを含む、請求項７記載の横方向切断タイプの缶オープナ。
【請求項９】
上記ギア装置は、上記操作要素に対して機械的な利点を提供するように配置された、請求項７記載の横方向切断タイプの缶オープナ。
【請求項１０】
上記操作要素は、蝶型ノブの形態である、請求項７記載の横方向切断タイプの缶オープナ。
【請求項１１】
上記操作要素の回転軸は、上記トラクションホイールの回転平面に対して上方に、０度乃至４５度の範囲の角度で傾斜させられた、請求項７記載の横方向切断タイプの缶オープナ。
【請求項１２】
上記缶オープナは、第３のタイプに属する、請求項７記載の横方向切断タイプの缶オープナ。
【請求項１３】
缶の中心軸を横断する方向に缶を開口する横方向切断タイプの缶オープナであって、
使用時に略垂直な軸まわりに相対的に回転する、回転可能なトラクションホイールを搭載する第１の操作部材及び回転可能な切断刃を搭載する第２の操作部材の対と、
上記操作部材上に形成されたハウジングと、
上記缶オープナの一の側に設置され、上記ハウジングによって支持され、上記トラクションホイールを回転させる操作要素とを含み、
上記トラクションホイール及び上記切断刃は、上記トラクションホイール及び上記切断刃が開口される上記缶のリムがホイール及び切断刃の間に配置可能なような範囲の間隔を置いて設置された操作不能位置と、上記トラクションホイール及び上記切断刃が近接し開口を引き起こすため上記缶を挟み込むことが可能な操作可能位置との間で移動可能であり、上記缶オープナの上記一の側は、缶オープナがユーザーによって使用され上記缶上に位置するとき、ユーザーの左側にあり、上記操作要素は、上記トラクションホイールの回転軸から下方向に、０度乃至４５度の範囲の角度で伸張する軸まわりに回転可能である、横方向切断タイプの缶オープナ。
【請求項１４】
上記ハウジング内に設置され、上記トラクションホイールに上記操作要素を機械式に連結させるギア装置を更に含む、請求項１３記載の横方向切断タイプの缶オープナ。
【請求項１５】
上記ギア装置は、２つのベベルギアを含む、請求項１３記載の横方向切断タイプの缶オープナ。
【請求項１６】
上記ギア装置は、上記操作要素に対して機械的な利点を提供するように配置された、請求項１３記載の横方向切断タイプの缶オープナ。
【発明の詳細な説明】
【０００１】
【発明の属する技術分野】
本発明は、缶を切開するため金属缶のリム若しくは側壁を横方向につかむための回転可能なトラクションホイールと回転可能な切断刃とを有する手動可能なオープナに関する。
【０００２】
【従来の技術】
手動缶オープナは、長年に渡って知られており、大きく次の３タイプに分類される。第１のタイプは、缶の上壁内へ直接的に切り込む切断刃を有するもの、第２のタイプは、リムの下方の側壁に切り込む切断刃を有するもの、及び、第３のタイプは、缶のリムに部分的に切り込む切断刃を有するものである。
【０００３】
第１のタイプの缶オープナでは、切断刃は、トラクションホイールの軸に傾斜する回転可能な軸を有する。トラクションホイール及び切断刃は、使用時に相互にかみ合うそれぞれ円形のギアを通常備えることにより、ユーザーによるトラクションホイールの一方向の回転が、切断刃の逆方向の回転を生じさせる。動作時、トラクションホイールは、下方から缶のリムをつかみ、缶の中心軸若しくは回転軸に略平行に伸張する。切断刃は、貫通し、リムの直径方向の僅かに内側の位置で上壁に切り込むことにより、上壁は、缶オープナに対する缶の中心軸まわりの完全なる一回転時に取り除き可能となる。このタイプの缶オープナの欠点は、切断された金属及び／又は上壁の外面上の異物が開封中に缶内に落ちる場合があることである。さらに、切断された上壁は、缶の中に落ちた時、取り除くのが困難である。
【０００４】
第２のタイプの缶オープナは、相互に略平行な回転軸を有するトラクションホイール及び切断刃を有し、ホイール及び切断刃は、缶オープナが操作状態にあるときある程度相互に重なる。トラクションホイールは、ユーザーによって回転可能であり、切断刃は、自在に回転可能である。使用時、トラクションホイールは、缶のリムの直径方向で内側の面をつかみ、缶の中心軸に略平行の回転軸を備える。切断刃は、横方向に貫通し、リムの僅かに下方の位置で缶の側壁に切り込むことにより、缶のリムを含む上壁は、缶オープナに対する缶の中心軸まわりの完全なる一回転時に取り除き可能となる。
【０００５】
第３のタイプの缶オープナは、英国特許第2,334,939号に開示され、トラクションホイールと相対して設置された切断刃を有するので、切断刃は、切り込むが缶のリムを貫通することがない。缶は、一般的に、円柱状の金属製本体及び２つの分離した金属製端壁から形成され、本体のそれぞれの端壁及びそれぞれの端壁の外側のエッジは、相互結合され、シーリングされたクロージャーリムを形成する。リムは、断面表示すると金属の５つの層、すなわち、端壁の金属の直径方向で内側の層、直径方向で外側の層及び中心層、および端壁の金属の３つの層で組合せされた２つの本体の金属の中間層を有する。このタイプのリム切断機構を組み込んだ缶オープナは、リムの最も外側の層を通って横方向に切断するように操作できる。この結果、端壁の残り部分は、缶本体から釈放可能になることにより、端壁の原位置にリムの一部分を残し、缶本体の原位置に他の部分を残すことになる。
【０００６】
本発明は、選択的に横方向切断タイプとも称される第２及び第３のタイプの缶オープナに向けられ、それらは、現地点では、使用するのに厄介であり、特に左利きユーザーにとって扱いづらい。
【０００７】
【発明が解決しようとする課題】
本発明の目的は、それらの問題点を克服するか、或いは少なくなくとも低減することである。
【０００８】
【課題を解決するための手段】
本発明の第１の局面によると、相対的に回転する操作部材の対を含み、第１の操作部材は、回転可能なトラクションホイールを搭載し、第２の操作部材は、回転可能な切断刃を搭載した、横方向切断タイプの缶オープナが提供される。ホイール及び切断刃は、ホイール及び切断刃が開けられる缶のリムがホイール及び切断刃間に配置可能なような範囲の間隔を置いて設置された操作不能位置と、ホイール及び切断刃が近接し開口を引き起こすため缶を挟み込むことが可能な操作可能位置間で移動可能であり、トラクションホイール及び切断刃は、使用時に缶の中心軸に略平行である回転軸をそれぞれ有する。缶オープナは、上記操作部材上に形成されたハウジング、缶オープナの一の側に設置されハウジングによって支持され缶の中心軸に略横断する軸まわりに回転するために配置された操作要素、及びハウジング内に設置され、トラクションホイールに操作要素を機械式に連結させるギア装置を含む。
【０００９】
好ましくは、ギア装置は、２つのベベルギアを含む。
【００１０】
操作の簡便性のため、ギア装置は、操作要素に対して機械的な利点を提供するように配置される。
【００１１】
好ましくは、操作要素は、蝶型ノブの形態である。
【００１２】
好ましい実施形態では、操作要素の回転軸は、トラクションホイールの回転平面に対して上方に、０度乃至４５度の範囲の角度で傾斜させられる。
【００１３】
具体的には、缶オープナは、後で定義する第３のタイプの缶オープナである。
【００１４】
本発明の第２の局面によると、使用時に略垂直な軸まわりに相対的に回転する操作部材の対を含み、第１の操作部材は、回転可能なトラクションホイールを搭載し、第２の操作部材は、回転可能な切断刃を搭載した、横方向切断タイプの缶オープナが提供される。ホイール及び切断刃は、ホイール及び切断刃が開けられる缶のリムがホイール及び切断刃間に配置可能なような範囲の間隔を置いて設置された操作不能位置と、ホイール及び切断刃が近接し開口を引き起こすため缶を挟み込むことが可能な操作可能位置間で移動可能である。缶オープナは、上記操作部材上に形成されたハウジング、缶オープナが使用時に缶上にあるとき、缶オープナの一の側に設置され、ハウジングによって支持され、缶の中心軸に略横断する軸まわりに回転するために配置された操作要素、及びハウジング内に設置され、トラクションホイールに操作要素を機械式に連結させるギア装置を含む。
【００１５】
好ましくは、ギア装置は、２つのベベルギアを含む。
【００１６】
操作の簡便性のため、ギア装置は、操作要素に対して機械的な利点を提供するように配置される。
【００１７】
好ましくは、操作要素は、蝶型ノブの形態である。
【００１８】
好ましい実施形態では、操作要素の回転軸は、トラクションホイールの回転平面に対して上方に、０度乃至４５度の範囲の角度で傾斜させられる。
【００１９】
具体的には、缶オープナは、後で定義する第３のタイプの缶オープナである。
【００２０】
本発明の第３の局面によると、使用時に略垂直な軸まわりに相対的に回転する操作部材の対を含み、第１の操作部材は、回転可能なトラクションホイールを搭載し、第２の操作部材は、回転可能な切断刃を搭載した、横方向切断タイプの缶オープナが提供される。ホイール及び切断刃は、ホイール及び切断刃が開けられる缶のリムがホイール及び切断刃間に配置可能なような範囲の間隔を置いて設置された操作不能位置と、ホイール及び切断刃が近接し開口を引き起こすため缶を挟み込むことが可能な操作可能位置間で移動可能である。缶オープナは、上記操作部材上に形成されたハウジング、缶オープナの一の側に設置され、ハウジングによって支持された、トラクションホイールを回転させる操作要素を含む。上記缶オープナの一の側は、缶オープナがユーザーによって使用され缶上にあるとき、ユーザーの左側にある。操作要素は、トラクションホイールの回転軸から下方に、０度乃至４５度の範囲の角度で伸張する軸まわりに回転可能である。
【００２１】
好ましくは、缶オープナは、ハウジング内に設置され、トラクションホイールに操作要素を機械式に連結させるギア装置を含む。
【００２２】
より好ましくは、ギア装置は、２つのベベルギアを含む。
【００２３】
操作の簡便性のため、ギア装置は、操作要素に対して機械的な利点を提供するように配置される。
【００２４】
【発明の実施の形態】
本発明は、添付図面を参照して、例示のみにより、より詳細に説明される。
【００２５】
最初に図１乃至図１０を参照するに、本発明を具現化する右利き用缶オープナ１００（図１乃至図５）及び右利き用缶オープナ２００（図６乃至図１０）が示され、それらは、非常に類似の構成を有し、一般的に上述した横方向切断タイプに属し、或いは、より具体的には英国特許第2,334,939号に開示されたような第３のタイプに属する。それぞれのオープナ１００／２００は、使用時に略垂直な軸まわりに相互に相対的に回転移動するように接続された、ハンドル１０及び１１の形式である操作部材の対を有する。ハンドル１０及び１１は、それらの前側端部に、それぞれ異なる略垂直な軸まわりに回転するトラクションホイール１３及び円形の切断刃１４（円柱形の組立体内）を搭載することにより、互いに接近して回転されたとき、トラクションホイール１３と切断刃１４間でグリップされた缶１２のリムは、切断刃１４によって切開されることができるようになる。
【００２６】
蝶型ノブ１６の形態の操作部材は、トラクションホイール１３の軸１３Ａに間接的に（公知の構成の場合は直接的に）接続され、缶オープナ１００／２００に対して缶１２を回転させるため、回転される。結果として、リムの最も外側の層は、切開されることになり、関連の上壁若しくは缶のように形成されたリッドは、缶１２の本体から取り除かれることができるようになる。
【００２７】
いずれの缶オープナ１００／２００に対しても、ハンドル１０は、一の側で操作ノブ１６を軸支する前端のハウジング１５を含む。操作ノブ１６は、トラクションホイール１３にハウジング１５内に設置されたベベルギアホイール１７及び１８の対によって間接的に接続される。
【００２８】
缶オープナ１００の場合、操作ノブ１６は、缶オープナ１００の右手側に右利きユーザーによる使用に対して設置される。第１のギアホイール１７は、操作ノブ１６の軸１６Ａに直接的に接続され、第２のギアホイール１８は、トラクションホイール１３の軸１３Ａに直接的に接続される。第２のギアホイール１８は、第１のギアホイール１７の下側に、英国特許第2,334,939号に開示されたようにトラクションホイール１３の回転軸から略６度傾斜した軸によって決定されるような切断刃１４の切断方向に適するように設置される。
【００２９】
他の缶オープナ２００に対して、操作ノブ１６は、缶オープナ２００の左手側に左利きユーザー適するように設置される。ギアホイール１７及び１８は、同様に操作ノブ１６の軸１６Ａに、及びトラクションホイール１３の軸１３Ａに直接的にそれぞれ接続される。しかし、第２のギアホイール１８は、第１のギアホイール１７の上側に設置され、トラクションホイール１３及び切断刃１４の同一の配置が、鏡像的な配置に代わって、この缶オープナ２００内に左利きのユーザーによる使用に対して採用される。
【００３０】
ギアホイール１７及び１８を使用することによって、操作ノブ１６の回転軸は、缶１２の中心軸を横断する方向に伸張することができる。これによって、使用時、右利き若しくは左利きユーザーそれぞれによる操作ノブ１６の具合のよい手動回転が許容され、その位置では、ユーザーの前腕は、缶１２を開けるための略横断軸若しくは略水平軸まわりに回転することができる。操作ノブがトラクションホイールの軸と同一軸まわりに回転可能である同一のタイプの従来の缶オープナと比較すると、ギアホイール１７及び１８は、操作時の向上された快適性のため、操作ノブ１６の回転軸をトラクションホイール１３の軸から傾斜させる役割をする。
【００３１】
更に、駆動ギアホイール１７が被動ギアホイールの歯に比べて少ない歯数を有するとき、機械的な利点が供給され、トラクションホイール１３及び切断刃１４は、必要な場合には、ユーザーにより比較的簡単に回転されることができるようになる。
【００３２】
図１１に示された僅かに異なる缶オープナ２００’は、缶オープナ２００に基づいて、アポストロフィーが付された同一参照番号で示された均等部品で変更されたものである。この缶オープナ２００’において、前述の缶オープナ２００と比較したときの大きな差異は、トラクションホイール１３’の回転面に対して約２５度傾斜した操作ノブ１６’の回転軸にある。結果として、蝶型ノブ１６’の羽が、上方向に実質的に上げられることにより、操作ノブ１６’は、缶１２の上面を汚すことなく、缶１２の上面上を完全に回転させることができるようになる。缶１２が図２及び図７に示すような円である場合、そのような持上げられた操作位置は、必要とされなくてよい。しかし、横方向の長円形若しくは長方形に対して、操作ノブ１６’の羽は、持上げられていない場合に、使用中に缶の上面に接触することがあるだろう。
【００３３】
トラクションホイール１３の回転面から上方向に、図１１に示すような２５度の角度で、操作ノブ１６’の回転軸を傾斜させることは、本発明の実施形態によって提供される全体としての効果若しくは他の効果を一切損なうこと、つまり、使用時に操作ノブ１６’の回転をより困難にさせることは、たとえあったとしてもほとんどないことを、認識されるべきである。一般的に、操作ノブ１６／１６’の回転軸は、トラクションホイール１３の回転面から上方向に、０度乃至４５度の範囲の角度で傾斜させてよく、他言すると、トラクションホイールの回転軸から下方向に、４５度乃至９０度の範囲の角度で傾斜させてよい。
【００３４】
最後に、図１２乃至図１７を参照するに、本発明を具現化するその他の右利き用の缶オープナ３００（図１２乃至図１５）及びその他の左利き用の缶オープナ４００（図１６及び図１７）が示され、上述した横方向切断タイプに一般的に属し、或いは、より具体的には英国特許第2,334,939号に開示されたような第３のタイプに属する。缶オープナ３００／４００の構成は、前述の缶オープナ１００／２００にコンセプト面で非常に類似しており、同一の参照番号によって示された均等部品を備えている。図示されたような歯車装置（前述のギアホイール１７及び１８と均等物）及びそれに対する図示されていないハウジング（前述のハウジング１５の均等物）を除けば、他の若しくは類似の構成要素は、英国特許第2,334,939号に完全に開示されており、それらの相互関係及び作用は、当業者であればよく理解できるだろう。
【００３５】
いわゆる横方向切断タイプ、若しくはより具体的には上述した第３のタイプの缶オープナを含む本発明の既述の実施形態は、実質的に非常に良好な使用具合であり、本説明や図面から明らかなように、左利きユーザー若しくは右利きユーザーのいずれに対しても、左利き若しくは右利き用の缶オープナを組み立てるための同一若しくは事実上完全に同一構成要素を使用して、簡単に組み立てられる。
【００３６】
主発明は、第２のタイプの缶オープナに同等に適用してもよいことが想像され、かかる場合、切断刃１４は、リムの真下の缶の側壁に切り込むための位置まで（僅かに）下げられるべきであり、それにより缶の上部の周囲全体が取り除き可能となるようになる。
【００３７】
上述され及び／又は図面に示されたように、切断刃１４の回転軸は、切断動作を改善するため、トラクションホイール１３若しくは缶１２に対して約６度の小さな角度でオフセットされることを注意されたい。使用時に缶１２のリムをつかむ面を改善するため、トラクションホイール１３の回転軸を、数度ごとオフセットさせることも考えられる。従って、“略平行”という用語は、本明細書において、トラクションホイール、切断刃、及び／又は缶の軸に対して使用されているが、３度乃至１０度の範囲の適切なオフセット角度を包含することを意図したものである。
【００３８】
本発明は、例示のみによって開示されており、当業者であれば、請求項で特定された本発明の観点から逸脱することなく、既述の実施形態に対して他の種々の変更及び／又は修正をすることがあるだろう。
【図面の簡単な説明】
【図１】本発明による右利き用缶オープナの第１の実施形態の平面図である。
【図２】缶切開時における図１の缶オープナの底面図である。
【図３】図１の缶オープナの断面の前端面図である。
【図４】図１の缶オープナの断面の上面図である。
【図５】図１の缶オープナの分解時の前端面図である。
【図６】本発明による左利き用缶オープナの第２の実施形態の平面図である。
【図７】缶切開時における図６の缶オープナの底面図である。
【図８】図６の缶オープナの断面の前端面図である。
【図９】図６の缶オープナの断面の上面図である。
【図１０】図６の缶オープナの分解時の前端面図である。
【図１１】図６の缶オープナに基づいて僅かに改変された缶オープナの背面斜視図である。
【図１２】本発明による右利き用缶オープナの第３の実施形態の背面斜視図である。
【図１３】図１２の缶オープナの底面図である。
【図１４】図１２の缶オープナの分解斜視図である。
【図１５】缶切開時における図１２の缶オープナの断面の側面図である。
【図１６】本発明による左利き用缶オープナの第４の実施形態の底面図である。
【図１７】図１６の缶オープナの分解斜視図である。
【符号の説明】
１０，１１  ハンドル
１３    トラクションホイール
１３Ａ  トラクションホイールの軸
１４    切断刃
１５    ハウジング
１６    操作ノブ
１６Ａ  操作ノブの軸
１７，１８  ギアホイール
１００  右利き用缶オープナ
２００  左利き用缶オープナ
【図１】
0004633963.tif 000002
【図２】
0004633963.tif 000003
【図３】
0004633963.tif 000004
【図４】
0004633963.tif 000005
【図５】
0004633963.tif 000006
【図６】
0004633963.tif 000007
【図７】
0004633963.tif 000008
【図８】
0004633963.tif 000009
【図９】
0004633963.tif 000010
【図１０】
0004633963.tif 000011
【図１１】
0004633963.tif 000012
【図１２】
0004633963.tif 000013
【図１３】
0004633963.tif 000014
【図１４】
0004633963.tif 000015
【図１５】
0004633963.tif 000016
【図１６】
0004633963.tif 000017
【図１７】
0004633963.tif 000018